(57)【要約】【課題】着用者の動きに柔軟に追従するとともに必要に応じた適度なサポートを実現することのできるブラジャーを提供する。【解決手段】ブラジャー１００は、左右のバストを包み込む左カップ部ＤＬ、右カップ部ＤＲ（合わせてカップ部Ｄ）と、カップ部Ｄの上側でそれぞれ接合された左肩紐部ＢＬ、右肩紐部ＢＲ（合わせて肩紐部Ｂ）と、カップ部Ｄの下側で接合されるとともに腹側と背中側とを連結するように形成された胸周り部とを含む。胸周り部は、背中側の後側連結部Ａ１と腹側の前側連結部Ｃ１とを含む。肩紐部Ｂを形成する緯編地片において、肩から胸への方向が緯編地における緊締力の強く伸びにくい第１の方向になるように、かつ、胸周り部を形成する緯編地片において、背中側の胸周り方向が緊締力の弱く伸びやすい第２の方向になるように、肩紐部Ｂと胸周り部とが接合されている。【選択図】図１
2018035450.tif 000002
【特許請求の範囲】
【請求項１】
複数片の緯編地を含んで形成された上半身用肌着であって、
左右のバストを包み込む左右のカップ部と、
前記カップ部の上側でそれぞれ接合された左右の肩紐部と、
前記カップ部の下側で接合されるとともに腹側と背中側とを連結するように形成された胸周り部とを含み、
前記肩紐部を形成する緯編地片において、肩から胸への方向およびその逆方向が前記緯編地における緊締力の強く伸びにくい第１の方向になるように、かつ、前記胸周り部を形成する緯編地片において、背中側の胸周り方向が緊締力の弱く伸びやすい第２の方向になるようにして、前記肩紐部と前記胸周り部とが接合された、上半身用肌着。
【請求項２】
前記肩紐部を形成する緯編地片および前記背中側の胸周り部を形成する緯編地片は、同じ編成の緯編地であって、
前記第１の方向がウェール方向であって前記第２の方向がコース方向である、請求項１に記載の上半身用肌着。
【請求項３】
前記上半身用肌着はブラジャーであって、
前記胸周り部を形成する緯編地片は、背中側の後側連結部を形成する背中側緯編地片と腹側の前側連結部を形成する腹側緯編地片とを含み、
前記背中側緯編地片において背中側の胸周り方向が前記第２の方向になるようにして、前記カップ部が前記肩紐部と前記後側連結部とに接合された、請求項１または請求項２に記載の上半身用肌着。
【請求項４】
前記上半身用肌着は腹部を被覆するとともに前記カップ部によりバストを包み込むインナーであって、
前記胸周り部を形成する緯編地片は、背中を覆う後身頃を形成する背中側緯編地片と腹を覆う前身頃を形成する腹側緯編地片とを含み、
前記背中側緯編地片において背中側の胸周り方向が前記第２の方向になるようにして、前記カップ部が前記肩紐部と前記前身頃とに接合された、請求項１または請求項２に記載の上半身用肌着。
【請求項５】
前記肩紐部における後袖刳は、肩甲骨の内側縁に沿った形状を備える、請求項１〜請求項４のいずれかに記載の上半身用肌着。
【発明の詳細な説明】
【技術分野】
【０００１】
本発明は、ブラジャー等の主として女性用の上半身用肌着に関し、特に、着用者の動きに柔軟に追従するとともに必要に応じた適度なサポートを実現することのできる上半身用肌着に関する。なお、本発明における上半身用肌着には、ブラジャー、スポーツブラジャー（スポーツブラ）、ハーフトップ、タンクトップ、キャミソール等を含む、主として女性用の上半身用肌着である。ここで、本発明におけるキャミソールは、細い肩紐で吊るし肩を露出する形状の袖なしの上半身用肌着であるキャミソールの中でも、その前側のトップラインにブラジャーと同様な２つのカップ（パッドの有無は限定されない）を備える肌着であって、ブラインナーと呼ばれることがある肌着である。
【背景技術】
【０００２】
ブラジャー等の女性用の上半身用肌着においては、着用によってバスト（乳房）の形状を美しく見せる効果と、運動または日常的な様々な動きに対してバストを支え本来の形に保つ効果とを期待して種々工夫がなされている。
たとえば、特許第５２７３５３３号公報（特許文献１）は、着用者個々の体形に応じてバストをカバーし、バストを押さえることでバスト形状を美しく補正することができ、かつ、清涼感を得ることができ、また、後身頃編地の一部に伸長力に耐え得る組織を使用することで身体が前屈するのを防止することを可能にして常々身体の姿勢を良好に保てることができるようにしたブラジャー（成形衣料）を開示する。
【０００３】
この特許文献１に開示された成形衣料（ブラジャー）は、前身頃中央部にバスト部を有し、前身頃と後身頃とが、連続して筒状に編成された成形衣料であって、前身頃中央部のバスト部以外の左右両脇に設けられた前身頃および後身頃の袖刳下部の編地と、後身頃の左右両肩紐から後身頃裾部にかけてＸ字状に延在する帯状の編地部分とを、緊締力の大なる緊締組織で編成し、前身頃中央部のバスト部、および後身頃の左右両肩紐から後身頃裾部にかけてＸ字状に延在する帯状の緊締力の大なる緊締組織編地部分以外の後身頃の編地組織を、伸縮性を有するメッシュ組織で編成してなることを特徴とする。
【０００４】
この成形衣料（ブラジャー）によると、個人差を有するバストであっても、バスト部の編地がバスト全体をカバーすることになり、バストをその横側から押圧固定することができ、さらに、後身頃地には、その左右両肩紐から裾部にかけてＸ字状に延在する帯状の緊締組織を配したことにより、着用者が前屈姿勢をとったとき、緊締組織によりその動きに対向し、姿勢を正しく保とうとする作用を発生できる。また、１枚の編地で構成されているために、編地自体の形をととのえるための縫製手段等が入り込まないから、縫目等による使用感の劣化は全くない。
【先行技術文献】
【特許文献】
【０００５】
【特許文献１】特許第５２７３５３３号公報
【発明の概要】
【発明が解決しようとする課題】
【０００６】
しかしながら、特許文献１に開示された成形衣料（ブラジャー）は、１枚の編地で構成されているから縫製手段等を必要としないためにソフト感、肌触りが良好であるとしても、そもそも１枚の編地により、着用者の動きに柔軟に追従するとともに必要に応じた適度なサポートを実現することには限界がある。
本発明は、従来技術の上述の問題点に鑑みて開発されたものであり、その目的とするところは、着用者の動きに柔軟に追従するとともに必要に応じた適度なサポートを実現することのできるブラジャーに代表される上半身用肌着を提供することである。
【課題を解決するための手段】
【０００７】
上記目的を達成するため、本発明に係る上半身用肌着は以下の技術的手段を講じている。
すなわち、本発明に係る上半身用肌着は、複数片の緯編地を含んで形成された上半身用肌着であって、左右のバストを包み込む左右のカップ部と、前記カップ部の上側でそれぞれ接合された左右の肩紐部と、前記カップ部の下側で接合されるとともに腹側と背中側とを連結するように形成された胸周り部とを含み、前記肩紐部を形成する緯編地片において、肩から胸への方向およびその逆方向が前記緯編地における緊締力の強く伸びにくい第１の方向になるように、かつ、前記胸周り部を形成する緯編地片において、背中側の胸周り方向が緊締力の弱く伸びやすい第２の方向になるようにして、前記肩紐部と前記胸周り部とが接合されている。
【０００８】
好ましくは、前記肩紐部を形成する緯編地片および前記背中側の胸周り部を形成する緯編地片は、同じ編成の緯編地であって、前記第１の方向がウェール方向であって前記第２の方向がコース方向であるように構成することができる。
さらに好ましくは、前記上半身用肌着はブラジャーであって、前記胸周り部を形成する緯編地片は、背中側の後側連結部を形成する背中側緯編地片と腹側の前側連結部を形成する腹側緯編地片とを含み、前記背中側緯編地片において背中側の胸周り方向が前記第２の方向になるようにして、前記カップ部が前記肩紐部と前記後側連結部とに接合されるように構成することができる。
【０００９】
さらに好ましくは、前記上半身用肌着は腹部を被覆するとともに前記カップ部によりバストを包み込むインナーであって、前記胸周り部を形成する緯編地片は、背中を覆う後身頃を形成する背中側緯編地片と腹を覆う前身頃を形成する腹側緯編地片とを含み、前記背中側緯編地片において背中側の胸周り方向が前記第２の方向になるようにして、前記カップ部が前記肩紐部と前記前身頃とに接合されるように構成することができる。
【００１０】
さらに好ましくは、前記肩紐部における後袖刳は、肩甲骨の内側縁に沿った形状を備えるように構成することができる。
【発明の効果】
【００１１】
本発明によれば、着用者の動きに柔軟に追従するとともに必要に応じた適度なサポートを実現することのできるブラジャーに代表される上半身用肌着を提供することができる。
【図面の簡単な説明】
【００１２】
【図１】本発明の第１の実施の形態に係るブラジャー（ノンワイヤー）の（Ａ）前側斜視図、（Ｂ）後側斜視図である。
【図２】図１のブラジャーの（パッドを除く）分解平面図である。
【図３】本発明の第２の実施の形態に係るブラインナー（カップ付きキャミソール）の（Ａ）前側斜視図、（Ｂ）後側斜視図である。
【図４】図３のブラインナーの（パッドを除く）分解平面図である。
【発明を実施するための形態】
【００１３】
＜第１の実施の形態＞
以下、本発明の第１の実施の形態として、上半身用肌着の一例であるブラジャー（ノンワイヤー）（以下において単にブラジャーと記載）１００を、図面に基づき詳しく説明する。図１（Ａ）にブラジャー１００の前側（腹側）斜視図を、図１（Ｂ）にブラジャー１００の後側（背中側）斜視図を、図２にブラジャー１００の（パッドを除く）分解平面図を、それぞれ示す。
【００１４】
なお、図１および図２においては（第２の実施の形態の図３および図４においても）、実線の両方向矢印は、緯編地における緊締力の強く伸びにくい第１の方向であるウェール（地の目）方向を示し、点線の両方向矢印は、緯編地における緊締力の弱く伸びやすい第２の方向であるコース方向を示す。ここで、緯編地の特性上、１つの緯編地片（パーツ）においては、第１の方向であるウェール方向と第２の方向であるコース方向とは、略直交する。
【００１５】
また、図２においては（第２の実施の形態の図４においても）、一点鎖線の両方向矢印は緯編地片が接合される部位どうしを示す。さらに、図２においては、一点鎖線の片方向矢印は、その始点に付された丸印で囲った同じアルファベット（第２の実施の形態の図４においては丸印で囲った同じアルファベットおよび数字）どうしで繋がって一点鎖線の両方向矢印を形成する。さらに、緯編地片（図２（および図４）における左カップ部ＤＬおよび右カップ部ＤＲを形成する緯編地片、図２における前側連結部Ｃ１を形成する緯編地片（図４における前身頃Ｃ２を形成する緯編地片）の周縁と交差する点線は、複数の緯編地片が接合される周縁における緯編地片の境界線である。
【００１６】
本発明に係る上半身用肌着の一例であるブラジャーの構造（たとえば、編地片（パーツ片）の形状および個数ならびにそれらの接合方法）には様々なものがあり、本発明は特定の構造に限定されるものではなく、後述する技術的特徴を備えたものであれば、どのようなブラジャーの構造であっても、ブラジャーを構成する編地の種類、編地の型紙（編地片（パーツ片）の形状および個数）およびその編地の接合方法がどのようなものであっても基本的には構わない。そのため、以下に示すブラジャー１００の構造自体は単なる例示でしかない。
【００１７】
このブラジャー１００は、このブラジャー１００を着用することにより着用者の動きに柔軟に追従するとともに必要に応じた適度なサポートを実現するために、複数片の緯編地を含んで形成された肌着の一例であるブラジャーにおいて、緯編地で形成される編地片のそれぞれの方向（ウェール（地の目）方向およびコース方向）が（カップ部Ｄを除いて）所望の方向になるようにしていることを技術的特徴とする。以下において、ブラジャー１００が備えるこの技術的特徴について図１および図２を参照して説明する。
【００１８】
ここで、一般的にブラジャーのカップ部はパッドを備えるが、このパッドについては上述した技術的特徴との直接的な関係が低いので図示していないし、説明していない。また、このブラジャー１００を形成する編地は緯編地であればよく、特に限定されるものではないが、ここでは綿ベアフライス編みの編地（綿６５％、ポリウレタン３５％）を採用している。さらに、別の緯編地の例として、このフライス編み（ゴム編み、リブ編みとも呼ばれる）に替えて、スムース編み（２つのゴム編みを裏合わせした編地でインターロックとも呼ばれる）、天竺編み（平編み、メリヤス編みとも呼ばれる）であっても構わない。いずれにしても、緯編地における緊締力の強く伸びにくい第１の方向であるウェール方向と、緯編地における緊締力の弱く伸びやすい第２の方向であるコース方向とが略直交する、緊締力（伸縮性）に方向性を備えた編地である。
【００１９】
さらに、このブラジャー１００を形成する緯編地は、限定されるものではないが、周縁を切りっぱなし仕様とされた編地で構成することも好ましい（本実施の形態に係るブラジャー１００では上述した綿ベアフライス編みの編地のポリウレタンを溶着した切りっぱなし仕様の編地を採用）。この編地は、周縁を切りっぱなし仕様（状態）のままで使用するために、熱融着性繊維（たとえば、ポリウレタン繊維等の比較的に低融点の熱融着性繊維が好ましくここでは上述したようにポリウレタン）と該繊維よりも高融点の他の繊維（たとえば、綿、ポリエステル、ナイロン、ポリエチレン、キュプラ等の上述した熱融着性繊維よりも高融点の繊維が好ましくここでは上述したように綿）とを含み、予め、熱融着性繊維の融点以上で他の繊維の融点以下の温度で熱セットされて解れ止め処理されるのが好ましい。このように、解れないように周囲が周縁処理（パイピング処理）されていないために肌に直接触れても、着心地が良いことに加えて、周縁処理のために形成された端部の折り返しの厚みがアウターの衣服に出てしまうこともない。
【００２０】
図１および図２に示すように、このブラジャー１００は、複数片の緯編地を含んで形成される。このブラジャー１００は、左右のバストを包み込む左カップ部ＤＬおよび右カップ部ＤＲ（合わせてカップ部Ｄと記載する場合がある）と、カップ部Ｄの上側でそれぞれ接合された左肩紐部ＢＬおよび右肩紐部ＢＲ（合わせて肩紐部Ｂと記載する場合がある）と、カップ部Ｄの下側で接合されるとともに腹側と背中側とを連結するように形成された胸周り部とを含む。ここで、この胸周り部を形成する緯編地片は、背中側の後側連結部Ａ１と腹側の前側連結部Ｃ１とを含む。このため、この胸周り部を形成する緯編地片は、背中側の後側連結部Ａ１を形成する背中側緯編地片と腹側の前側連結部Ｃ１を形成する腹側緯編地片とを含む。
【００２１】
そして、このブラジャー１００においては、肩紐部Ｂを形成する緯編地片において、肩から胸への方向およびその逆方向が緯編地における緊締力の強く伸びにくい第１の方向になるように、かつ、胸周り部を形成する緯編地片において、背中側の胸周り方向が緊締力の弱く伸びやすい第２の方向になるようにして、肩紐部Ｂと胸周り部とが接合されている。
【００２２】
なお、接合方法については、特定の方法に限定されるものではなく縫合（縫製による接合）であっても構わないし、接着であっても、さらに別の接合方法であっても構わない。ここでは、接合方法として縫合を用いて、図２に一点鎖線の両矢印で示された箇所どうしを縫合することにより、このブラジャー１００が形成されている。
ここで、接合方法として接着を用いる場合には、図２に一点鎖線の両矢印で示された箇所どうしを、接着テープを用いて接合することによりこのブラジャー１００を形成することができる。このような接着方法についても限定されるものではないが、帯状部材の一面に接着材が塗布された接着テープであって、加熱することにより接着材が溶融して生地を熱接着して接合するものが好ましい。なお、このように、この接合には、縫合によるもの、熱圧着によるもの、熱溶着によるもの、熱融着によるもの等を含むことになる。
【００２３】
ここで、好ましくは、肩紐部Ｂを形成する緯編地片および背中側の胸周り部を形成する（背中側の後側連結部Ａ１を形成する）緯編地片は、同じ編成の緯編地（ここでは切りっぱなし仕様の綿ベアフライス）であって、編地の方向を図２に示すように異ならせて、このブラジャー１００を形成するようにできる。
なお、このブラジャー１００においては、カップ部Ｄが肩紐部Ｂと後側連結部Ａ１とに接合され、前側連結部Ｃ１はカップ部Ｄと縫合されず肩紐部Ｂと後側連結部Ａとに縫合されている。しかしながら、このような箇所における縫合によりブラジャー１００が形成されるものに本発明は限定されるものではなく、たとえば、前側連結部Ｃ１がカップ部Ｄと縫合されていても構わない。
【００２４】
さらに、このブラジャー１００における任意的な技術的特徴として、図１（Ｂ）に示すように肩紐部Ｂにおける後袖刳１１０は、２点鎖線（想像線）で示す肩甲骨ＳＢの内側縁ＭＢに沿った形状を備える。ここで、肩甲骨ＳＢは、胸郭の背面側における第２〜第７（８）肋骨の高さに位置し、中心となる三角形の扁平な「体」と２つの突起部より構成されており、「体」は三角状の扁平な骨体で「２面」、「３縁」および「３角」を有し、「３縁」の中の最も長い縁であって脊柱とほぼ平行な内側縁ＭＢに沿った形状を、肩紐部Ｂにおける後袖刳１１０が備える（図３（Ｂ）に示すように、後袖刳２１０についても、同じく、肩紐部Ｂにおける後袖刳１１０が内側縁ＭＢに沿った形状を備える）。ここで、図１（Ｂ）（および図３（Ｂ））に想像線で示した肩甲骨の形状は概略を示すに過ぎない。
【００２５】
このように形成され上述した技術的特徴を備えたこのブラジャー１００は以下のような作用効果を発現することができる。
＜第１の作用効果＞  バストを包み込むカップ部Ｄはその上側で肩紐部Ｂに接合されて、肩紐部Ｂの肩紐部Ｂを形成する緯編地片において、肩から胸への方向およびその逆方向が緯編地における緊締力の強く伸びにくい第１の方向になっているので、バストを適度に引き上げることができる。
【００２６】
＜第２の作用効果＞  胸周り部を形成する緯編地片において、背中側の胸周り方向が緊締力の弱く伸びやすい第２の方向になっており、また、肩紐部Ｂの肩紐部Ｂを形成する緯編地片において、肩から胸への方向と略直交する方向およびその逆方向が緯編地における緊締力の弱く伸びやすい第２の方向になっているので、胸周りが伸びやすく、腕を上げる、上半身を捻る等の着用者の身体の動きに柔軟に追従することができ、身体からブラジャー１００がずれにくい。
【００２７】
＜第３の作用効果＞  肩紐部Ｂにおける後袖刳１１０は、肩甲骨の内側縁に沿った形状を備えるので、背中側に肩甲骨の内側縁に沿って形成されたＸ文字状のパネル（図２（および図４）に点線白抜き矢印で示す）により、着用者が身体を動かす場合にブラジャー１００が抵抗にならないので容易に着用者が身体を動かすことができる。
＜第４の作用効果＞  編地片に切りっぱなし仕様の緯編地を採用したので、肌に直接触れても、着心地が良いことに加えて（肌ストレスと着圧とを低減）、周縁処理のために形成された端部の折り返しの厚みがアウターの衣服に出てしまうこともない。さらに、接合方法として（縫合ではなく）接着テープを採用した場合には、縫合線がないので、肌に直接触れても、着心地が良く、肌ストレスと着圧とをさらに低減することができる。
【００２８】
また、腹側の胸周り部を形成する（前側連結部Ｃ１を形成する）緯編地片は、胸周り方向が緊締力の強く伸びにくい第１の方向になるようにして、胸周り部を安定させて、ズレを防止するという作用効果を発現することができる。
以上のようにして、本実施の形態に係るブラジャーによると、着用者の動きに柔軟に追従するとともに必要に応じた適度なサポートを実現することのできるブラジャーを提供することができる。
【００２９】
＜第２の実施の形態＞
以下、本発明の第２の実施の形態として、上半身用肌着の別の例であるブラインナー（カップ付きキャミソール）（以下において単にブラインナーと記載）２００を、図面に基づき詳しく説明する。図３（Ａ）にブラインナー２００の前側（腹側）斜視図を、図３（Ｂ）にブラインナー２００の後側（背中側）斜視図を、図４にブラインナー２００の（パッドを除く）分解平面図を、それぞれ示す。なお、図３は図１に、図４は図２に、それぞれ対応する。
【００３０】
なお、このブラインナー２００は、上述した第１の実施の形態に係るブラジャー１００の前側連結部Ｃ１に替えてブラインナー２００では前身頃Ｃ２、ブラジャー１００の後側連結部Ａ１に替えてブラインナー２００では後身頃Ａ２を備える点を除いて、同じである。それ以外の構造であって第１の実施の形態と同じ構造については第１の実施の形態と同じ符号を付している。それらについての説明は、上述した説明と重複するために、ここでは繰り返して説明しない場合がある。
【００３１】
なお、このブラインナー２００を形成する編地は緯編地であればよく、特に限定されるものではないが、ここでは前身頃Ｃ２および後身頃Ａ２以外はブラジャー１００と同じく綿ベアフライス編みの編地（綿６５％、ポリウレタン３５％）を採用し、前身頃Ｃ２および後身頃Ａ２は綿フライス編みの編地（綿１００％）を採用している。さらに、別の緯編地の例として、フライス編み（ゴム編み、リブ編みとも呼ばれる）に替えて、スムース編み（２つのゴム編みを裏合わせした編地でインターロックとも呼ばれる）、天竺編み（平編み、メリヤス編みとも呼ばれる）であっても構わない。
【００３２】
本実施の形態に係るブラインナー２００は、腹部を被覆するとともにカップ部によりバストを包み込むインナーであって、胸周り部を形成する緯編地片は、背中を覆う後身頃Ａ２を形成する背中側緯編地片と腹を覆う前身頃Ｃ２を形成する腹側緯編地片とを含む。このため、この胸周り部を形成する緯編地片は、背中側の後身頃Ａ２を形成する背中側緯編地片と腹側の前身頃Ｃ２を形成する腹側緯編地片とを含む。
【００３３】
そして、このブラインナー２００においては、肩紐部Ｂを形成する緯編地片において、肩から胸への方向およびその逆方向が緯編地における緊締力の強く伸びにくい第１の方向になるように、かつ、胸周り部を形成する緯編地片において、背中側の胸周り方向が緊締力の弱く伸びやすい第２の方向になるようにして、カップ部Ｄが肩紐部Ｂと前身頃Ｃ２とに接合されている。しかしながら、このような箇所における縫合によりブラジャー１００が形成されるものに本発明は限定されるものではなく、たとえば、後身頃Ａ２と前身頃Ｃ２とが一体的に編成された緯編地片（一体編成された筒形の身頃（丸編みした緯生地片））で形成されていても構わない。本発明においては、胸周り部を形成する緯編地片は、背中を覆う後身頃を形成する背中側緯編地片と腹を覆う前身頃を形成する腹側緯編地片とを「含む」構成であるために、胸周り部を形成する緯編地片には、（後身頃Ａ２と前身頃Ｃ２とがサイドにおいて接合されていない）後身頃Ａ２と前身頃Ｃ２とが一体的に編成された筒形の身頃を形成する緯編地片も含まれる。
【００３４】
また、このブラインナー２００においては、後身頃Ａ２はカップ部Ｄと縫合されていないが（後身頃Ａ２は肩紐部Ｂと前身頃Ｃ２とに縫合され、カップ部Ｄが肩紐部Ｂと前身頃Ｃ２とに縫合されているが）、しかしながら、このような箇所における縫合によりブラインナー２００が形成されるものに本発明は限定されるものではない。
なお、このブラインナー２００における任意的な技術的特徴として、肩紐部Ｂにおける後袖刳２１０は、肩甲骨の内側縁に沿った形状を備える。
【００３５】
このように形成され上述した技術的特徴を備えたこのブラインナー２００も第１の実施の形態に係るブラジャー１００と同じように（第１の作用効果）〜＜第４の作用効果＞を発現することができる。
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３６】
本発明は、ブラジャーに代表される上半身用肌着に好適であり、着用者の動きに柔軟に追従するとともに必要に応じた適度なサポートを実現することのできる点で特に好適である。
【符号の説明】
【００３７】
１００  ブラジャー（ノンワイヤーブラジャー）
１１０  （ブラジャーの）後襟刳
２００  ブラインナー（カップ付きキャミソール）
２１０  （ブラインナーの）後襟刳
Ａ１  後側連結部
Ａ２  後身頃
Ｂ    肩紐部
ＢＬ  左側肩紐部
ＢＲ  右側肩紐部
Ｃ１  前側連結部
Ｃ２  前身頃
Ｄ    カップ部
ＤＬ  左側カップ部
ＤＲ  右側カップ部
【図１】
2018035450.tif 000003
【図２】
2018035450.tif 000004
【図３】
2018035450.tif 000005
【図４】
2018035450.tif 000006